(57)【要約】【課題】温水暖房装置本体が大きくなるのを防止できると共に、シスターンタンク内に流入した温水内の空気や蒸気をスムーズに分離できる温水暖房装置を提供する。【解決手段】循環ポンプ接続管８の一端がシスターンタンク５底部と接続され、貯湯缶体接続管６の一端がシスターンタンク５底部からタンク内に挿入され、そのタンク内に挿入された貯湯缶体接続管６の先端は水平方向に曲げられているもので、それによりシスターンタンク５周りのスペースを最小とすることができ、更にシスターンタンク５内に流入した温水内の空気や蒸気をスムーズに分離できるものである。【選択図】      図１
2006046804.tif 000002
【特許請求の範囲】
【請求項１】
温水を貯湯する貯湯缶体と、燃料を燃焼させるバーナと、該バーナの燃焼ガスと貯湯缶体内の温水とを熱交換させる熱交換器と、貯湯缶体内の温水を貯湯缶体と温水暖房装置に接続されている放熱器との間に循環させる循環ポンプと、貯湯缶体と循環ポンプとの間に設けられ、貯湯缶体とは貯湯缶体接続管により接続され、循環ポンプとは循環ポンプ接続管により接続されたシスターンタンクとを備えた温水暖房装置に於いて、前記循環ポンプ接続管の一端がシスターンタンク底部と接続され、貯湯缶体接続管の一端がシスターンタンク底部からシスターンタンク内に挿入され、そのシスターンタンク内に挿入された貯湯缶体接続管の先端は水平方向に曲げられていることを特徴とする温水暖房装置。  
【請求項２】
前記シスターンタンク内に挿入された貯湯缶体接続管の先端は、シスターンタンク内の上方に位置すると共に、先端からシスターンタンク内に流入する温水がシスターンタンク内の側面の略接線方向に向いて設けられ、前記シスターンタンク底部と循環ポンプ接続管の接続位置は、シスターンタンクの底部の中心に対して貯湯缶体接続管の先端と略対向する位置に設けられていることを特徴とする請求項１記載の温水暖房装置。
【発明の詳細な説明】
【技術分野】
【０００１】
本発明は、温水を貯湯式缶体にて貯湯する温水暖房装置に関するものである。
【背景技術】
【０００２】
従来よりこの種の温水暖房装置に於いては、貯湯式缶体１０１内に入れられた水は、例えば石油バーナ等のバーナによってオンオフ加熱されることで、設定された温度に保持され、貯湯式缶体１０１内に貯められた温水は循環ポンプ１０２によって循環路１０３を放熱器１０４に循環されて放熱される。
【０００３】
又、貯湯式缶体１０１と循環ポンプ１０２との間にはシスターンタンク１０５が設けられ、該シスターンタンク１０５は貯湯式缶体１０１の上部と連通していると共に、循環ポンプ１０２の吸い込み側に連通しているものである。
【０００４】
又、シスターンタンク１０５の上部には圧力開放用の圧力調整弁１０６が設けられており、該圧力調整弁１０６はシスターンタンク１０５内の圧力が一定以上の高圧になると開弁し、シスターンタンク１０５内の温水を圧力調整弁１０６に接続されている膨張タンク１０７に噴出させて温水を膨張タンク１０７に導くと共に、蒸気等を膨張タンク１０７から開放するものである。
【０００５】
ここで  貯湯式缶体１０１とシスターンタンク１０５及び循環ポンプ１０２とシスターンタンク１０５の接続は、貯湯式缶体１０１からシスターンタンク１０５の側面に接続されると共に、循環ポンプ１０２からシスターンタンク１０５の底部に接続されているものや（例えば特許文献１参照）、貯湯式缶体１０１及び循環ポンプ１０２の両方ともシスターンタンク１０５の底部に接続されるものや、貯湯式缶体１０１及び循環ポンプ１０２の両方ともシスターンタンク１０５の側面に接続されているものがある。
【特許文献１】特開平９−６０８９３号公報
【発明の開示】
【発明が解決しようとする課題】
【０００６】
ところでこの温水暖房装置は、貯湯式缶体１０１とシスターンタンク１０５及び循環ポンプ１０２とシスターンタンク１０５の接続を、シスターンタンク１０５の側面に接続管で接続する場合、シスターンタンク１０５の側面からシスターンタンク１０５内に温水が水平方向に流入するので、シスターンタンク１０５内に温水が水平方向に流入してシスターンタンク１０５内の水平方向に渦を発生させ、それによりシスターンタンク１０５内に流入した温水内の空気や蒸気がスムーズに上方の圧力調整弁１０６から抜けていく利点があるものの、シスターンタンク１０５の側面に接続する分だけシスターンタンク１０５周りにスペースが必要になって温水暖房装置本体の寸法が大きくなってしまうという欠点があった。
【０００７】
又、湯式缶体１０１とシスターンタンク１０５及び循環ポンプ１０２とシスターンタンク１０５の接続をシスターンタンク１０５の底部に接続管で接続する場合、シスターンタンク１０５周りには余計なスペースが不要で温水暖房装置本体の寸法が大きくなることがないという利点があるものの、シスターンタンク１０５の底部からシスターンタンク１０５内に温水が垂直方向に流入するので、それによりシスターンタンク１０５内の垂直方向に渦が発生してシスターンタンク１０５内に流入した温水内の空気や蒸気が、シスターンタンク１０５の底部に向かって流れ、それによりシスターンタンク１０５の底部から循環ポンプ１０２へ吸い込まれてしまうというという欠点があった。
【０００８】
又、湯式缶体１０１とシスターンタンク１０５の上部側面及び循環ポンプ１０２とシスターンタンク１０５の底部を接続する場合、両方シスターンタンク１０５の底部に接続する場合よりもシスターンタンク１０５の底部から循環ポンプ１０２へ吸い込まれてしまうことが少なく、両方シスターンタンク１０５の側面に接続する場合よりも、スターンタンク１０５周りに必要な余計なスペースが少なくてよいが、利点及び欠点とも両方シスターンタンク１０５の底部に接続する場合と両方シスターンタンク１０５の側面に接続する場合の中間というものであった。
【課題を解決するための手段】
【０００９】
この発明はこの点に着目し上記課題を解決するため、請求項１では特にその構成を、温水を貯湯する貯湯缶体と、燃料を燃焼させるバーナと、該バーナの燃焼ガスと貯湯缶体内の温水とを熱交換させる熱交換器と、貯湯缶体内の温水を貯湯缶体と温水暖房装置に接続されている放熱器との間に循環させる循環ポンプと、貯湯缶体と循環ポンプとの間に設けられ、貯湯缶体とは貯湯缶体接続管により接続され、循環ポンプとは循環ポンプ接続管により接続されたシスターンタンクとを備えた温水暖房装置に於いて、前記循環ポンプ接続管の一端がシスターンタンク底部と接続され、貯湯缶体接続管の一端がシスターンタンク底部からシスターンタンク内に挿入され、そのシスターンタンク内に挿入された貯湯缶体接続管の先端は水平方向に曲げられているものである。
【００１０】
又本発明の請求項２に係る温水暖房装置では、特にその構成を、請求項１に於いて、前記シスターンタンク内に挿入された貯湯缶体接続管の先端は、シスターンタンク内の上方に位置すると共に、先端からシスターンタンク内に流入する温水がシスターンタンク内の側面の略接線方向に向いて設けられ、前記シスターンタンク底部と循環ポンプ接続管の接続位置は、シスターンタンクの底部の中心に対して貯湯缶体接続管の先端と略対向する位置に設けられているものである。
前記ことを特徴とする請求項１記載の温水暖房装置。
【発明の効果】
【００１１】
この発明の請求項１によれば、循環ポンプ接続管の一端がシスターンタンク底部と接続され、貯湯缶体接続管の一端がシスターンタンク底部からシスターンタンク内に挿入され、そのシスターンタンク内に挿入された貯湯缶体接続管の先端は水平方向に曲げられているもので、それにより開放式のシスターンタンクであっても温水が勢いよく上に噴き出すことがなく、又貯湯缶体からシスターンタンク内に流入した温水に含まれていた空気や蒸気は、シスターンタンク内上方に向かってスムーズに分離されると共に、シスターンタンク周りに貯湯缶体接続管及び循環ポンプ接続管を接続するためのスペースを不要とすることができ、温水暖房装置本体の寸法が大きくなるのを防止できるものである。
【００１２】
又本発明の請求項２に記載の温水暖房装置によれば、請求項１に於いて、前記シスターンタンク内に挿入された貯湯缶体接続管の先端は、シスターンタンク内の上方に位置すると共に、先端からシスターンタンク内に流入する温水がシスターンタンク内の側面の略接線方向に向いて設けられ、前記シスターンタンク底部と循環ポンプ接続管の接続位置は、シスターンタンクの底部の中心に対して貯湯缶体接続管の先端と略対向する位置に設けられているもので、それによりシスターンタンク内に流入した貯湯缶体からの温水は、貯湯缶体接続管の先端からシスターンタンク内側面に案内されるように水平方向に流れ、タンク内で水平方向に渦を積極的に発生させてシスターンタンク内に流入した温水に含まれていた空気や蒸気を、シスターンタンク内上方に向かってよりスムーズに分離することがてきると共に、シスターンタンク内に流入した温水が貯湯缶体接続管の先端からすぐに貯湯缶体接続管に流れ込まず、シスターンタンク内に流入した温水に含まれていた空気や蒸気を循環ポンプに吸い込ませず、循環ポンプが空気噛みを起こすのを防止できるものである。
【発明を実施するための最良の形態】
【００１３】
次に、この発明に係る温水暖房装置を図面に示された一実施例で説明する。
図１に示すように、１は温水暖房装置で、燃料を燃焼させるバーナ２と、該バーナ２の燃焼ガスが通過する熱交換器３と、該熱交換器３を内蔵し、その熱交換器３と熱交換することで設定された温度に加熱されたお湯を貯湯する貯湯缶体４とを備えているものである。
【００１４】
５はシスターンタンクで、一端が貯湯缶体４の上部と接続され、他端がシスターンタンク５の底部からタンク内部に挿入された貯湯缶体接続管６により貯湯缶体４と連通していると共に、一端がシスターンタンクの底部と接続され、他端が貯湯缶体４内の温水をシスターンタンク５を介して温水暖房装置１と接続されている放熱器（図示せず）に送り出し、放熱器を通過した温水が再び貯湯缶体１に戻るように循環させる循環ポンプ７の吸い込み側に接続された循環ポンプ接続管８により循環ポンプ７と連通しているものである。
【００１５】
９は圧力開放用の圧力調整弁で、シスターンタンク５の上部に設けられ、シスターンタンク５内の圧力が一定以上の高圧になると開弁し、シスターンタンク５内の温水を圧力調整弁９と接続されている膨張タンク接続管１０を通って膨張タンク１１に噴出させて温水を膨張タンク１１に導くと共に、蒸気等を膨張タンク１１から開放するものである。
【００１６】
前記シスターンタンク５内に設けられた貯湯缶体接続管６の一端部分は、シスターンタンク５内の上部に位置すると共にシスターンタンク５の底部の中心から離れた底部の端付近に設けられ、又その先端は水平方向に曲げられており、更にその先端の温水吹き出し口１２は、吹き出す温水がシスターンタンク５内の曲面状の側面に沿ってタンク内で水平方向に渦が発生するようにシスターンタンク５内の側面の略接線方向に向いて設けられているものである。
【００１７】
又、前記循環ポンプ接続管８のシスターンタンクの底部と接続している部分の位置は、シスターンタンク５の底部の中心に対して貯湯缶体接続管６の温水吹き出し口１２と略対向する位置に設けられているものであり、貯湯缶体接続管６及び循環ポンプ接続管８ともシスターンタンク５の底部に接続されているので、シスターンタンク５周りに貯湯缶体接続管６及び循環ポンプ接続管８を接続するためのスペースを不要とすることができ、温水暖房装置本体の寸法が大きくなるのを防止できるものである。
【００１８】
次にこの温水暖房装置の動作について説明する。  
まずバーナ２が燃焼を開始して、その燃焼ガスと貯湯缶体４内の水が熱交換器３にて熱交換され、貯湯缶体４内の水が設定された温度に加熱されると、循環ポンプ７が動作して、貯湯缶体４内の温水がシスターンタンク５を介して温水暖房装置１と接続されている放熱器に送り出される。
【００１９】
循環ポンプ７が動作すると、シスターンタンク５内の温水が循環ポンプ７の吸い込み側に流入し、貯湯缶体４内の温水が貯湯缶体接続管６を通ってシスターンタンク５内に流入する。
【００２０】
この時、シスターンタンク５内に流入した貯湯缶体４からの温水は、貯湯缶体接続管６の先端の温水吹き出し口１２からシスターンタンク５内の曲面からなるタンク内側面に案内されるように水平方向に流れ、タンク内で水平方向に渦を積極的に発生させる。
【００２１】
そしてそれによりシスターンタンク５の上部の圧力調整弁９がなく、開放式の
シスターンタンク５であっても温水が勢いよく上に噴き出すことがなく、又貯湯缶体４からシスターンタンク５内に流入した温水に含まれていた空気や蒸気は、シスターンタンク５内上方に向かってスムーズに分離されるものである。
【００２２】
又シスターンタンク５と循環ポンプ接続管８との接続が、シスターンタンク５の底部の中心に対して貯湯缶体接続管６の温水吹き出し口１２と略対向する位置に設けられているので、空気や蒸気を含んでいないシスターンタンク５内底部付近の温水を循環ポンプ７の吸い込み側に送り出し、又温水の流量が増加してシスターンタンク５内に流入した温水がすぐ循環ポンプ７の吸い込み側に送り出されるようになっても、シスターンタンク５内に流入した温水が温水吹き出し口１２から貯湯缶体接続管６に流れ込むまでの間に、シスターンタンク５内に流入した温水に含まれていた空気や蒸気がシスターンタンク５内上方に向かって分離されるので、循環ポンプが空気噛みを起こすのを防止できるものである。
【図面の簡単な説明】
【００２３】
【図１】本発明の温水暖房装置の概略図。
【図２】同シスターンタンクの断面図。
【図３】同従来の温水暖房装置の概略図。
【図４】同従来のその他の温水暖房装置の概略図。
【図５】同従来のその他の温水暖房装置の概略図。
【符号の説明】
【００２４】
１  温水暖房装置
２  バーナ
３  熱交換器
４  貯湯缶体
５  シスターンタンク
６  貯湯缶体接続管
７  循環ポンプ
８  循環ポンプ接続管
【図１】
2006046804.tif 000003
【図２】
2006046804.tif 000004
【図３】
2006046804.tif 000005
【図４】
2006046804.tif 000006
【図５】
2006046804.tif 000007